(57)【特許請求の範囲】
【請求項１】
患者の生体情報を取得して固有のチャネルを通じて送信する送信機と、
患者を特定するための特定情報を認識すると共に、前記送信機から前記チャネルを取得し、前記特定情報と前記チャネルとを関連付けた関連付け情報を送信する設定端末と、
前記送信機から送信された前記患者の生体情報を受信すると共に前記設定端末から送信された前記関連付け情報を受信し、前記設定端末から送信された前記関連付け情報を用いて、前記特定情報と前記チャネルとを関連付けて登録する受信機と、
を有する医療用システム。
【請求項２】
前記設定端末は、前記患者の生体情報のモニタリングを開始するための入床操作を受け付け、受け付けた前記入床操作に基づいて前記受信機に前記モニタリングの開始を指示する請求項１に記載の医療用システム。
【請求項３】
前記設定端末は、前記受信機において前記患者の生体情報のモニタリングを開始するための入床操作が完了しているか否かを照会し、前記入床操作が完了していない場合、前記入床操作の完了を促すための通知を行う請求項１または請求項２に記載の医療用システム。
【請求項４】
前記設定端末は、前記患者に装着された媒体を読み取ることにより、前記特定情報を認識する請求項１〜３のいずれか一項に記載の医療用システム。
【発明の詳細な説明】
【技術分野】
【０００１】
本発明は、医療用システムに関する。
【背景技術】
【０００２】
患者の心拍数や呼吸回数などの生体情報を検出し、表示する技術が知られている（たとえば、特許文献１参照）。近年では、各患者の生体情報を検出して無線送信する複数の送信機と、生体情報を受信して表示する受信機として、検出機能と表示機能とが分散された医療用システムも知られている。複数の送信機は、相互に混信がないように、それぞれ異なる固有のチャネルが割り当てられている。チャネルは、たとえば異なる周波数に対応している。受信機は、複数の送信機から生体情報を受信し、同時にまたは選択的に生体情報を表示できる。
【０００３】
受信機は、複数の送信機から送信される生体情報それぞれがどの患者のものであるかを明確に区別して表示する必要がある。たとえば、受信機は、各送信機のチャネルと、当該送信機が装着された患者のＩＤや氏名等の患者特定情報とを関連付けて登録することにより、生体情報と患者特定情報とを関連付けて表示できる。
【先行技術文献】
【特許文献】
【０００４】
【特許文献１】特開２００２−１９１５６５号公報
【発明の概要】
【発明が解決しようとする課題】
【０００５】
しかしながら、上記の構成においては、チャネルと患者特定情報の入力および関連付け作業は、医療スタッフの手入力により行われる。そのため、入力ミス等により、ある患者の患者特定情報に、別の患者の送信機のチャネルが関連付けられてしまったり、誤ったチャネルが関連付けられてしまったりする虞がある。これでは、患者の生体情報を正しくモニタリングすることができず問題となる。スピードと正確性が要求される医療の現場では、簡単かつ正確に患者特定情報と送信機のチャネルとを関連付けることが望まれている。
【０００６】
本発明は、上記事情に鑑みてなされたものであり、簡単かつ正確に患者特定情報と送信機のチャネルとを関連付けられる医療用システムを提供することを目的とする。
【課題を解決するための手段】
【０００７】
医療用システムは、送信機と、設定端末と、受信機とを有する。送信機は、患者の生体情報を取得して固有のチャネルを通じて送信する。設定端末は、患者を特定するための特定情報を認識すると共に、送信機からチャネルを取得し、特定情報とチャネルとを関連付けた関連付け情報を送信する。受信機は、送信機から送信された患者の生体情報を受信すると共に設定端末から送信された関連付け情報を受信し、設定端末から送信された関連付け情報を用いて、特定情報とチャネルとを関連付けて登録する。
【発明の効果】
【０００８】
本発明によれば、設定端末が患者特定情報およびチャネルを取得して関連付け、受信機が設定端末において関連付けられた患者特定情報およびチャネルを登録する。これにより、医療スタッフが簡単かつ正確に患者特定情報とチャネルとを関連付けられる。
【図面の簡単な説明】
【０００９】
【図１】第１実施形態に係る医療用システムの概略構成を示す図である。
【図２】第１実施形態に係る医療用システムの機能構成を示すブロック図である。
【図３】第１実施形態に係る医療用システムにおける処理の手順を示すシーケンス図である。
【図４】第１実施形態に係る医療用システムにおいて処理が行われる様子を示す図である。
【図５】第２実施形態に係る医療用システムにおける処理の手順を示すシーケンス図である。
【図６】第２実施形態に係る医療用システムにおいて処理が行われる様子を示す図である。
【図７】図５のステップＳ２０１に示す入床指示受付処理において行われる入床完了照会処理の手順を示すフローチャートである。
【発明を実施するための形態】
【００１０】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１１】
（第１実施形態）
図１は、第１実施形態に係る医療用システムの概略構成を示す図である。
【００１２】
第１実施形態の医療用システムは、たとえば病院に設けられる。
【００１３】
図１に示すように、医療用システム１００は、送信機２００、設定端末３００および受信機４００を有する。
【００１４】
送信機２００は、たとえば病室内の患者に取り付けられ、患者の生体情報を取得し、受信機４００へ無線送信する。
【００１５】
設定端末３００は、たとえば医療スタッフである看護師に携帯され、患者を特定するための患者特定情報と、当該患者に装着された送信機２００のチャネルとを取得する。設定端末３００は、患者に装着された患者タグ等を認識することにより、患者を特定するための患者特定情報を取得する。また、設定端末３００は、最も近くにある送信機２００のチャネルを自動的に取得する。設定端末３００は、取得した患者特定情報とチャネルとを関連付け、関連付けた患者特定情報およびチャネル（以下、関連付け情報と称する）を、受信機４００へ送信する。
【００１６】
受信機４００は、たとえばナースステーションに設置され、設定端末３００から関連付け情報を受信し、受信した関連付け情報を登録する。また、受信機４００は、送信機２００から生体情報を受信し、受信した生体情報等をディスプレイ等に表示する。
【００１７】
各構成について詳細に説明する。
【００１８】
図２は、第１実施形態に係る医療用システムの機能構成を示すブロック図である。
【００１９】
（送信機２００）
図２に示すように、送信機２００は、生体情報取得部２１０および送信部２２０を有する。
【００２０】
生体情報取得部２１０は、患者の生体情報を取得する。生体情報取得部２１０は、たとえば、心電図測定用電極や血中酸素飽和度測定用プローブである。生体情報取得部２１０により取得される生体情報は、心電図信号、血中酸素飽和度、血圧値、心拍数、体温等である。生体情報取得部２１０は、取得した生体情報を、送信部２２０へ送る。
【００２１】
送信部２２０は、生体情報取得部２１０によって取得された生体情報を、受信機４００へ無線送信する。送信機２００は、通常一人の患者に対して一つ取り付けられる。したがって、患者が複数存在する場合、送信機２００も複数存在する。複数の送信機２００には、それぞれ異なるチャネルが割り当てられ、各送信機２００の送信部２２０は、それぞれ異なるチャネルを通じて生体信号を送信する。
【００２２】
（設定端末３００）
図２に示すように、設定端末３００は、チャネル取得部３１０、患者特定情報取得部３２０、送信部３３０、操作部３４０、および制御部３５０を有する。
【００２３】
チャネル取得部３１０は、設定端末３００の最も近くにある送信機２００から、当該送信機２００が使用するチャネルを取得する。チャネル取得部３１０は、たとえば、操作部３４０のボタン押下等の所定の操作が受け付けられると、受信するチャネルを順次切り替えつつ無線信号を受信する。チャネル取得部３１０は、受信した無線信号の強度が最も強いチャネルを、最も近くにある送信機２００のチャネルとして取得する。ここで、無線信号の強度は、信号の発生源（送信機２００）からの距離が離れるほど減衰する。そのため、各送信機２００の発生源における信号の強度が同じであれば、設定端末３００から最も近くにある送信機２００のチャネルを使用して発信される信号が、最大の信号強度となる。したがって、設定端末３００は、無線信号の強度が最も強いチャネルを取得することにより、最も近くにある送信機２００のチャネルを自動的に取得できる。
【００２４】
患者特定情報取得部３２０は、たとえばカメラやバーコードリーダー、ＲＦＩＤタグリーダー等であり、患者に装着された患者タグ等を認識することによって、患者を特定するための患者特定情報を取得する。患者特定情報には、患者の氏名やＩＤ、顔写真等の患者を特定するための各種情報が含まれる。患者特定情報取得部３２０は、たとえば、患者タグに印字されたバーコードを読み取ることにより、バーコードとして符号化された患者のＩＤを患者特定情報として取得する。あるいは、患者特定情報取得部３２０は、患者タグに印字された患者の氏名をカメラで撮影し、撮影した画像に文字認識等の画像処理を施すことにより、患者の氏名を患者特定情報として取得する。また、患者特定情報取得部３２０は、患者の顔をカメラで撮影し、撮影した顔画像を患者特定情報として取得してもよい。さらに、患者特定情報取得部３２０は、撮影した顔画像に顔認識等の画像処理を施したり、記憶部に予め格納したデータベースとマッチングしたりすることにより、顔画像から患者の氏名等を取得してもよい。
【００２５】
送信部３３０は、チャネル取得部３１０によって取得されたチャネルと、患者特定情報取得部３２０によって取得された患者特定情報とを関連付けて、関連付け情報として受信機４００へ送信する。
【００２６】
操作部３４０は、たとえば、設定端末３００上にハードウェアとして設けられたボタンであり、ユーザーからの各種入力等を受け付ける。また、操作部３４０は、設定端末３００の表示部（不図示）において、タッチパネルによりソフトウェアとして実現される操作キーであってもよい。
【００２７】
制御部３５０は、たとえばＣＰＵであり、上記各部の制御や各種の演算処理を行う。制御部３５０には、制御するためのプログラムや各種データを記憶する記憶部（不図示）が含まれる。
【００２８】
（受信機４００）
受信機４００は、受信部４１０、登録部４２０、表示部４３０、操作部４４０および制御部４５０を有する。
【００２９】
受信部４１０は、送信機２００から送信される生体情報を受信する。また、受信部４１０は、設定端末３００から送信された関連付け情報を受信する。
【００３０】
登録部４２０は、受信部４１０において受信した関連付け情報を用いて、患者特定情報およびチャネルを関連付けて登録する。登録部４２０において、患者特定情報とチャネルとが関連付けられて記憶されているため、受信機４００は、送信機２００から生体情報を受信した際に、使用したチャネルに基づいて、受信した生体情報と患者特定情報とを対応付けることができる。
【００３１】
表示部４３０は、たとえば液晶ディスプレイ等の表示画面であり、生体情報等の各種情報を表示する。表示部４３０は、登録部４２０において関連付けて記憶された患者特定情報およびチャネルに基づいて、受信部４１０が受信した患者の生体情報と患者特定情報とを対応付けて表示する。
【００３２】
操作部４４０は、たとえばマウスやキーボード等の入力機器であり、ユーザーからの各種入力等を受け付ける。操作部４４０は、受信機４００の表示部４３０において、タッチパネル方式によりソフトウェアとして実現される操作キーであってもよい。
【００３３】
制御部４５０は、たとえばＣＰＵであり、上記各部の制御や各種の演算処理を行う。制御部４５０には、制御するためのプログラムや各種データを記憶する記憶部（不図示）が含まれる。
【００３４】
次に、第１実施形態に係る医療用システムにおける処理の手順について説明する。
【００３５】
図３は、第１実施形態に係る医療用システムにおける処理の手順を示すシーケンス図である。図４は、第１実施形態に係る医療用システムにおいて処理が行われる様子を示す図である。なお、図３に示す設定端末３００の処理は、設定端末３００の記憶部にプログラムとして記憶されており、制御部３５０が各部を制御することにより実行される。また、図３に示す受信機４００の処理は、受信機４００の記憶部にプログラムとして記憶されており、制御部４５０が各部を制御することにより実行される。
【００３６】
まず、設定端末３００は、患者特定情報を取得する（ステップＳ１０１）。具体的には、設定端末３００は、患者特定情報取得部３２０において、患者タグ等を認識することにより患者特定情報を取得し、記憶部に記憶する。図４の例では、設定端末３００は、患者Ａの腕に装着された患者タグＴ１から、患者の名称である「患者Ａ」を、患者特定情報として取得する。このように、設定端末３００によって患者タグ等を認識して患者特定情報を自動的に取得できるため、医療スタッフが患者特定情報を手入力する必要がなくなる。また、医療スタッフが患者の近くで患者特定情報を取得できるため、他の患者と間違えることも抑止される。
【００３７】
続いて、設定端末３００は、チャネルを取得する（ステップＳ１０２）。具体的には、看護師Ｎ１が、設定端末３００を送信機２００に近づけて、設定端末３００の操作部３４０のボタン押下等の操作を行うことにより、送信機２００のチャネルを取得する。図４の例では、設定端末３００は、患者Ａに装着された送信機２００が使用するチャネルである「ｃｈ５０１５」を取得する。このように、設定端末３００によって患者に装着された送信機２００からチャネルを自動的に取得できるため、医療スタッフがチャネルを手入力する必要がなくなる。また、医療スタッフが患者の患者特定情報を取得した後、そのままその患者に装着された送信機２００からチャネルを自動的に取得できるため、患者特定情報とチャネルとを正しく関連付けられる。
【００３８】
続いて、設定端末３００は、患者特定情報とチャネルとを関連付けて記憶する（ステップＳ１０３）。具体的には、設定端末３００は、ステップＳ１０１の処理において取得した患者特定情報と、ステップＳ１０２の処理において取得したチャネルとを関連付けて、関連付け情報として記憶部に記憶する。図４の例では、設定端末３００は、患者Ａの患者特定情報である「患者Ａ」という名称と、患者Ａに装着された送信機２００のチャネルである「ｃｈ５０１５」とを、関連付けて記憶する。
【００３９】
続いて、設定端末３００は、ステップＳ１０３の処理において記憶された関連付け情報を、受信機４００へ送信する（ステップＳ１０４）。図４の例では、設定端末３００は、患者特定情報「患者Ａ」とチャネル「ｃｈ５０１５」とを関連付けて、関連付け情報として受信機４００へ送信する。
【００４０】
受信機４００は、設定端末３００から関連付け情報を受信すると、受信した情報を用いて患者特定情報とチャネルとを関連付けて登録部４２０に登録する（ステップＳ１０５）。図４の例では、設定端末３００は、患者特定情報「患者Ａ」とチャネル「ｃｈ５０１５」とを関連付けて登録する。これにより、受信機４００は、送信機２００から生体情報を受信した際に、使用したチャネル「ｃｈ５０１５」に基づいて、受信した生体情報と患者特定情報「患者Ａ」とを対応付けてディスプレイへの表示等を行うことができる。
【００４１】
続いて、受信機４００は、生体情報のモニタリングを開始するための操作である入床操作をユーザーから受け付ける（ステップＳ１０６）。たとえば、受信機４００は、図４に示すように、表示部４３０に入床操作を受け付けるための「入床」ボタンを表示し、ユーザーが操作部４４０を操作して「入床」ボタンを押下することにより、入床操作を受け付ける。入床操作においては、生体情報のモニタリングを開始する旨の指示の他に、生体情報に異常が発生した際のアラームに関する設定等、生体情報のモニタリングに必要な各種設定が受け付けられてもよい。
【００４２】
続いて、受信機４００は、患者の生体情報と患者特定情報とを対応付けて表示する（ステップＳ１０７）。具体的には、受信機４００は、登録部４２０において関連付けて記憶された患者特定情報およびチャネルに基づいて、送信機２００から受信した生体情報と患者特定情報とを対応付けて表示部４３０に表示する。図４の例では、生体情報を受信した際に使用されたチャネルが「ｃｈ５０１５」であるため、受信機４００は、登録部４２０においてチャネル「ｃｈ５０１５」と関連付けられている患者特定情報「患者Ａ」を、生体情報と対応付けて表示する。すなわち、患者Ａから取得した生体情報に、患者Ａの患者特定情報である「患者Ａ」という名称が対応付けられて表示部４３０に表示される。これにより、生体情報をモニタリングする医療スタッフは、受信機４００に表示されている生体情報が患者Ａのものであることを容易に認識できる。複数の患者が存在する場合でも、それぞれの患者の生体情報が、それぞれの患者の患者特定情報と対応付けられて表示されるため、医療スタッフは各患者の生体情報を間違いなくモニタリングできる。
【００４３】
以上のように、第１実施形態の医療用システムによれば、設定端末３００が患者特定情報およびチャネルを取得して関連付け、受信機４００が設定端末３００において関連付けられた患者特定情報およびチャネルを登録する。これにより、医療スタッフが簡単かつ正確に患者特定情報とチャネルとを関連付けられる。
【００４４】
また、設定端末３００は、患者に装着された患者タグ等の媒体を読み取ることにより、患者特定情報を自動的に認識して取得する。これにより、患者特定情報を手入力する必要がなくなり、入力ミスを抑止できる。
【００４５】
なお、上記実施形態では、設定端末３００は、患者特定情報を取得した後にチャネルを取得したが、これらの情報を取得する順序はこれに限定されない。設定端末３００は、チャネルを取得した後に患者特定情報を取得してもよい。
【００４６】
また、上記実施形態では、設定端末３００と受信機４００とは、それぞれ別体の装置であるものとして説明したが、これに限定されない。設定端末３００と受信機４００とは、一つの装置として一体的に構成されていてもよい。これにより、看護師等の医療スタッフは、設定端末３００において患者特定情報とチャネルとの関連付けを行った後、同じ装置によってそのまま生体情報をモニタリングでき、迅速に医療行為を行うことができる。
【００４７】
また、上記実施形態では、設定端末３００が患者特定情報およびチャネルの関連付けを行うものとして説明したが、これに限定されない。受信機４００が設定端末３００から患者特定情報およびチャネルを同じタイミングで受信した場合に、受信機４００が患者特定情報およびチャネルの関連付けを行ってもよい。
【００４８】
（第２実施形態）
次に、第２実施形態の医療用システムについて説明する。
【００４９】
第１実施形態では、受信機４００で床操作が受け付けることによって、生体情報のモニタリングが開始された。しかし、たとえば医療スタッフが受信機４００において入床操作を行うことを忘れてしまった場合、生体情報のモニタリングが開始されない。この場合、患者に異常が発生しても、生体情報のモニタリングが開始されていないために医療スタッフが当該異常を検知できず、問題となる。そこで、入床操作が確実に行われるように、設定端末３００で患者特定情報とチャネルとの関連付けを行った後、入床操作も受け付けるようにしてもよい。第２実施形態では、設定端末３００において入床操作を受け付ける場合について説明する。
【００５０】
第２実施形態に係る医療用システムの構成は、第１実施形態と同様である。以下においては、第１実施形態と重複する部分の説明は省略し、第１実施形態と異なる部分を中心に説明する。
【００５１】
第２実施形態に係る医療用システムにおける処理の手順について説明する。
【００５２】
図５は、第２実施形態に係る医療用システムにおける処理の手順を示すシーケンス図である。図６は、第２実施形態に係る医療用システムにおいて処理が行われる様子を示す図である。なお、図５に示す設定端末３００の処理は、設定端末３００の記憶部にプログラムとして記憶されており、制御部３５０が各部を制御することにより実行される。また、図５に示す受信機４００の処理は、受信機４００の記憶部にプログラムとして記憶されており、制御部４５０が各部を制御することにより実行される。また、本シーケンス図のステップＳ１０１〜ステップＳ１０５、ステップＳ１０７に示す処理は、図３のステップＳ１０１〜ステップＳ１０５、ステップＳ１０７に示す処理と同一である。以下では、ステップＳ２０１、ステップＳ２０２に示す処理を中心に説明する。
【００５３】
図５に示すように、設定端末３００は、ステップＳ１０１の処理において患者特定情報を取得し、ステップＳ１０２の処理においてチャネルを取得する。続いて、設定端末３００は、ステップＳ１０３の処理において患者特定情報とチャネルとを関連付けて、ステップＳ１０４の処理において関連付け情報を受信機４００へ送信する。受信機４００は、設定端末３００から関連付け情報を受信すると、ステップＳ１０５の処理において関連付け情報を登録する。
【００５４】
続いて、設定端末３００は、ユーザーからの入床操作を受け付ける（ステップＳ２０１）。たとえば、設定端末３００は、表示部に入床操作を受け付けるための入床ボタンを表示し、ユーザーが操作部３４０を操作して当該入床ボタンを押すことにより、入床操作を受け付ける。入床操作の受け付け処理においては、生体情報に異常が発生した際のアラームに関する設定等、生体情報のモニタリングに必要な各種設定が受け付けられてもよい。
【００５５】
続いて、設定端末３００は、図６に示すように、受信機４００へ入床指示を送信する（ステップＳ２０２）。具体的には、設定端末３００は、ステップＳ２０１の処理において受け付けた入床操作に基づいて、受信機４００に対してモニタリングを開始する旨の指示を送信する。ステップＳ２０１の処理において、生体情報のモニタリングに必要な各種設定が受け付けられている場合、設定端末３００は、当該設定に関する情報もあわせて受信機４００へ送信する。
【００５６】
受信機４００は、設定端末３００から入床指示を受信すると、ステップＳ１０７の処理において、患者の生体情報と患者特定情報とを対応付けて表示する。
【００５７】
以上のように、第２実施形態の医療用システムによれば、設定端末３００において、患者の生体情報のモニタリングを開始するための入床操作を受け付ける。これにより、患者特定情報およびチャネルの関連付け処理とあわせて入床操作を実行できるため、医療スタッフが入床操作の実行を忘れることを抑止できる。
【００５８】
なお、図５のステップＳ２０１の入床操作受付処理は、ステップＳ１０１〜ステップＳ１０３の処理と合わせて行われてもよい。この場合、設定端末３００は、ステップＳ１０４の処理において関連付け情報を送信する際に、あわせて入床指示も送信できる。これにより、入床操作にかかる医療スタッフの手間やシステムの処理時間を削減できる。
【００５９】
また、図５のステップＳ２０１の処理において、設定端末３００は、表示部に入床ボタンを表示する前に、受信機４００に対して、入床操作が完了しているか否かを照会してもよい。以下、設定端末３００により実行される入床完了照会処理について説明する。
【００６０】
図７は、図５のステップＳ２０１およびＳ２０２に示す入床指示受付処理において行われる入床完了照会処理の手順を示すフローチャートである。図７に示す処理は、設定端末３００の記憶部にプログラムとして記憶されており、制御部３５０が各部を制御することにより実行される。
【００６１】
図７に示すように、設定端末３００は、受信機４００に対して対象となる患者の入床操作が完了しているか否かを照会する（ステップＳ３０１）。設定端末３００は、ステップＳ３０１の照会結果に基づいて、受信機４００において対象となる患者の入床操作が完了しているか否かを判断する（ステップＳ３０２）。
【００６２】
入床操作が完了している場合（ステップＳ３０２：ＹＥＳ）、設定端末３００は、入床ボタンの表示等の入床操作受け付け処理を省略し、入床完了照会処理を終了する。これは、たとえば第１実施形態のステップＳ１０６のように受信機４００において入床操作が受け付けられている場合が相当する。この場合、既に入床操作が完了しているため、受信機４００は、図５のステップＳ２０２に示す入床指示の送信を待たずに、ステップＳ１０７の処理において患者の生体情報と患者特定情報とを対応付けて表示する。
【００６３】
一方、入床操作が完了していない場合（ステップＳ３０２：ＮＯ）、設定端末３００は、ユーザーに対して入床操作の実行を促すリマインドを行う（ステップＳ３０３）。具体的には、設定端末３００は、入床操作の実行を促すメッセージを表示部に表示させたり、アラーム音を鳴動させたりして、ユーザーに対してリマインドを行う。
【００６４】
続いて、設定端末３００は、ユーザーからの入床操作を受け付ける（ステップＳ３０４）。入床操作の受付処理は、図５のステップＳ２０１の処理と同様である。設定端末３００は、入床操作を受け付けると、受信機４００へ入床指示を送信する（ステップＳ３０５）。入床指示の送信処理は、図５のステップＳ２０２の処理と同様である。なお、設定端末３００は、一定時間経過毎に入床完了照会処理を行い、入床操作が完了するまで、入床操作の実行を促すリマインドを行ってもよい。これにより、医療スタッフが入床操作の実行を忘れることをより確実に抑止できる。
【符号の説明】
【００６５】
１００  医療用システム、
２００  送信機、
２１０  生体情報取得部、
２２０  送信部、
３００  設定端末、
３１０  チャネル取得部、
３２０  患者特定情報取得部、
３３０  送信部、
３４０  操作部、
３５０  制御部、
４００  受信機、
４１０  受信部、
４２０  登録部、
４３０  表示部、
４４０  操作部、
４５０  制御部。
【図１】
0006347707.tif 000002
【図２】
0006347707.tif 000003
【図３】
0006347707.tif 000004
【図４】
0006347707.tif 000005
【図５】
0006347707.tif 000006
【図６】
0006347707.tif 000007
【図７】
0006347707.tif 000008